(57)【要約】【課題】  手軽で且つ低コストであり、しかも湯の花セラミックスから放射される放射線によって優れた医学的効果を得ることができる健康機器を提供する。【解決手段】  身体の少なくとも一部を覆うハウジング２０Ａ，２０Ｂにラジウムを含む湯の花からなる湯の花セラミックス３０を埋設するようにした。【選択図】    図２
2005245632.tif 000002
【特許請求の範囲】
【請求項１】
身体の少なくとも一部を覆うハウジングにラジウムを含む湯の花からなる湯の花セラミックスが埋設されていることを特徴とする健康機器。
【請求項２】
請求項１において、前記湯の花セラミックスが、玉川温泉の湯の花から硫黄成分を除去することで形成されたものであることを特徴とする健康機器。
【請求項３】
請求項１又は２において、前記湯の花セラミックスのラジウム放射量が毎分１２００カウント以上であることを特徴とする健康機器。
【請求項４】
請求項１〜３の何れかにおいて、前記ハウジングには、遠赤外線を放射する遠赤外線放射性セラミックス、及びマイナスイオンを放射するマイナスイオン放射性セラミックスの少なくとも何れか一方がさらに埋設されていることを特徴とする健康機器。
【請求項５】
請求項１〜４の何れかにおいて、前記湯の花セラミックスが寝床に敷き詰められた治療用ベッドをさらに具備し、該治療用ベッドの上に前記ハウジングを設置することで、当該ハウジングと前記治療用ベッドとで前記身体を覆うようにしたことを特徴とする健康機器。
【発明の詳細な説明】
【技術分野】
【０００１】
本発明は、身体に放射線を放射して放射線治療を行う健康機器に関する。
【背景技術】
【０００２】
従来から、身体に遠赤外線を放射して発汗作用を促すことにより、健康増進の効果があることが知られている。このような遠赤外線を放射する代表的なものとしては、例えば、遠赤外線サウナ等が挙げられる。ここで、このような遠赤外線サウナの原理を採用したものとして、遠赤外線反射シートの上に横になって寝た状態で、その上から身体をドームで覆うと共に、そのドームの内面に設けられた面ヒータから遠赤外線を放射する遠赤外線健康器が知られている（例えば、特許文献１参照）。しかしながら、このような遠赤外線健康器では、遠赤外線によって新陳代謝を促進することができるが、癌等の難病治療を行うことはできない。
【０００３】
また、このような癌等の難病治療を行う方法として、身体に放射線を放射するいわゆる放射線治療法が知られている。この放射線治療法は、癌等の難病治療に有効であり、その代表例としては、岩盤の上に横になって寝ることで、その岩盤から放射される放射線を浴びる岩盤浴がある。このような岩盤浴の原理を採用したものとして、ラジウム放射線が地上に放射される岩盤の上に砂や砂利を敷き詰めて、その内部に複数の噴射口を開口した空気供給管を埋設し、さらにその上に鉱石を敷き詰めて、その内部に温水管を埋設したラジウム放射線温浴施設が知られている（例えば、特許文献２参照）。
【０００４】
このラジウム放射線温浴施設は、ラジウム放射線が地上に放射される岩盤を利用したものであるため、遠赤外線の他にラジウム放射線が身体に放射され、これによって新陳代謝が促進され、また、ラジウム放射線による医学的効果も同時に得ることができる。しかしながら、この施設と同じものを、例えば、家庭や医療施設等に導入するのは非常に困難であり、また、多大な設備投資が必要となるため、コスト的にも問題がある。
【０００５】
【特許文献１】特開２０００−１４０１３５号公報（第１図）
【特許文献２】特開２００２−３５０７８号公報（第１図）
【発明の開示】
【発明が解決しようとする課題】
【０００６】
本発明はこのような事情に鑑み、手軽で且つ低コストであり、しかも湯の花セラミックスから放射される放射線によって優れた医学的効果を得ることができる健康機器を提供することを課題とする。
【課題を解決するための手段】
【０００７】
上記課題を解決する本発明の第１の態様は、身体の少なくとも一部を覆うハウジングにラジウムを含む湯の花からなる湯の花セラミックスが埋設されていることを特徴とする健康機器にある。
【０００８】
かかる第１の態様では、身体を覆うハウジングに湯の花セラミックスを埋設することにより、手軽で且つ低コストで放射線治療を行うことができ、湯の花セラミックスから放射される放射線により、優れた医学的効果を得ることができる。
【０００９】
本発明の第２の態様は、第１の態様において、前記湯の花セラミックスが、玉川温泉の湯の花から硫黄成分を除去することで形成されたものであることを特徴とする健康機器にある。
【００１０】
かかる第２の態様では、玉川温泉の湯の花から硫黄成分（例えば、硫黄の他、硫化水素や硫化砒素などの硫化物、あるいは硫黄酸化物等を含む）を少なくとも除去して、湯の花セラミックスを形成し、この湯の花セラミックスをハウジングに埋設することで、得られる医学的効果を高めることができる。
【００１１】
本発明の第３の態様は、第１又は２の態様において、前記湯の花セラミックスのラジウム放射量が毎分１２００カウント以上であることを特徴とする健康機器にある。
【００１２】
かかる第３の態様では、医療用として十分なラジウム放射量が得られる。
【００１３】
本発明の第４の態様は、第１〜３の何れかの態様において、前記ハウジングには、遠赤外線を放射する遠赤外線放射性セラミックス、及びマイナスイオンを放射するマイナスイオン放射性セラミックスの少なくとも何れか一方がさらに埋設されていることを特徴とする健康機器にある。
【００１４】
かかる第４の態様では、ラジウム放射線と、遠赤外線、マイナスイオンとの相乗効果により、非常に優れた医学的効果を得ることができる。
【００１５】
本発明の第５の態様は、第１〜４の何れかの態様において、前記湯の花セラミックスが寝床に敷き詰められた治療用ベッドをさらに具備し、該治療用ベッドの上に前記ハウジングを設置することで、当該ハウジングと前記治療用ベッドとで前記身体を覆うようにしたことを特徴とする健康機器にある。
【００１６】
かかる第５の態様では、治療用ベッドとハウジングとで身体を覆うと共に、その身体に湯の花セラミックスからの放射線が略均等に放射され、非常に優れた医学的効果を得ることができる。
【発明の効果】
【００１７】
本発明の健康機器によれば、身体を覆うハウジングにラジウムを含む湯の花からなる湯の花セラミックスを埋設することにより、手軽で且つ低コストで放射線治療を行うことができ、湯の花セラミックスから放射される放射線により、優れた医学的効果を得ることができるという効果を奏する。
【発明を実施するための最良の形態】
【００１８】
以下に本発明を実施形態に基づいて詳細に説明する。
【００１９】
（実施形態１）
図１は、本発明の実施形態１に係る健康機器の概略を示す斜視図である。図２は、図１の要部拡大断面図である。
【００２０】
図１に示すように、本実施形態の健康機器１０は、半円形状を有する上部ハウジング２０Ａと、この上部ハウジング２０Ａよりも径が小さい下部ハウジング２０Ｂとを有する。また、上部ハウジング２０Ａは、下部ハウジング２０Ｂの外周面に沿ってその軸方向に移動可能に設けられている。さらに、これら上部及び下部ハウジング２０Ａ，２０Ｂには、ラジウムを含む湯の花からなる湯の花セラミックス３０と、遠赤外線を放射する遠赤外線放射性セラミックス４０とが埋設されている。詳細には、図２に示すように、上部及び下部ハウジング２０Ａ，２０Ｂの内周面に、湯の花セラミックス３０と遠赤外線放射性セラミックス４０とを保持する多孔質部材５０が設けられている。そして、この多孔質部材５０には、本実施形態では、湯の花セラミックス３０と遠赤外線放射性セラミックス４０とが略均等に分散して保持されている。
【００２１】
また、このような多孔質部材５０の一方面側、すなわち、各ハウジング２０Ａ，２０Ｂの半径方向外側には、例えば、電気ヒータ等からなる加熱手段６０が設けられている。さらに、加熱手段６０には、温度制御部６５が接続されており、この温度制御部６５を操作することで、多孔質部材５０を加熱するようになっている。
【００２２】
このような健康機器１０においては、図１（ｂ）に示すように、寝床７０に横になって寝た状態で、その上から身体の下半身を下部ハウジング２０Ｂで覆うと共に、上部ハウジング２０Ａを軸方向に移動させることで、上半身を上部ハウジング２０Ａで覆うようになっている。そして、図２に示すように、これら各ハウジング２０Ａ，２０Ｂに埋設された湯の花セラミックス３０からの放射線と、遠赤外線放射性セラミックス４０からの遠赤外線とが、身体に放射されるようになっている。
【００２３】
ここで、湯の花セラミックス３０には、放射性物質としてラジウムが含まれている。このラジウムは、ラジウム放射線を放射する元素として知られており、近年、医学の分野において、薬だけでは治療しきれない慢性的な病魔、例えば、内臓疾患、疼痛性疾患などの健康障害回復に関して物理療法で治す治療法に用いられている。なお、このようなラジウム放射能の医学的効果は、微弱放射線が体細胞を刺激して、新陳代謝を活性化するという、いわゆる放射線ホルミシス効果であると考えられている。このような放射線ホルミシス効果を得ることができる天然鉱物としては、北投石が知られているが、この北投石は、国の特別天然記念物に指定されているため採取不可能となっている。このため、本実施形態では、この北投石とほぼ同等の成分である湯の花セラミックス３０を人工的に作り出し、これをハウジング２０Ａ及び２０Ｂに埋設して健康機器とした。
【００２４】
詳細には、湯治場として有名な玉川温泉（秋田県）により産出される湯の花を焼成することで湯の花セラミックス３０を人工的に作製した。すなわち、玉川温泉には、温泉水がｐＨ１．１〜１．２の強酸性泉（硫化水素含有塩酸性緑ばん泉）で微弱のラジウム放射能が含まれている。そして、本発明では、このような玉川温泉の湯の花が、天然の北投石とほぼ同等の成分を有する点に着目し、この玉川温泉の湯の花から人体に有害な物質の１つである少なくとも硫黄成分、例えば、硫黄の他、硫化水素や硫化砒素などの硫化物、あるいは硫黄酸化物等を特殊な方法により除去してラジウム成分等の有効成分を抽出し、それを焼成することで湯の花セラミックス３０を人工的に作製した。このようにして作製された湯の花セラミックス３０は、天然の北投石と同等の成分を有するものであるから、これを放射線治療に用いることで、天然の北投石と同等の放射線ホルミシス効果を得ることができ、優れた医学的効果を得ることができる。これに対し、ラジウムを含まない湯の花を用いてセラミックスを作製しても、本発明に係る湯の花セラミックス３０による放射線ホルミシス効果を得ることはできない。
【００２５】
また、このような湯の花セラミックス３０のラジウム放射量は、毎分１２００カウント（ＣＰＭ）以上であるのが好ましい。ラジウム放射量が１２００ＣＰＭ以上あれば一般に医療用として十分な効果を得ることができるとされているからである。なお、ラジウム放射量は、あまり多すぎると人体に対して刺激が強すぎるおそれもあるので、１２００〜１６００ＣＰＭの範囲内であるのがさらに好ましい。勿論、このようなラジウム放射能が１２００ＣＰＭより小さくても、医学的効果を得ることができることはいうまでもない。本実施形態で用いた湯の花セラミックス３０は、放射量を測定した結果、１６００ＣＰＭ程度のラジウム放射量を有していることが分かった。
【００２６】
また、このようなラジウムの壊変に伴って発生する無色・無臭の不活性ガス中には、放射性を有するラドンが存在する。すなわち、湯の花セラミックス３０からは、ラドンを含む不活性ガス（ラドンガス）が発生する。そして、このようなラドンガスは、例えば、ラドン温泉に接している身体の皮膚面から体内に入り込み、その体内を循環し、皮膚組織や神経系等を刺激することが知られており、ラジウムと同様に、放射線ホルミシス効果が期待できる。
【００２７】
さらに、このような湯の花セラミックス３０からは、ラジウム放射線やラドンガスの他、マイナスイオンが発生する。このようなマイナスイオンは、呼吸や皮膚から取り入れられると、血液を通して体全体をめぐり、新陳代謝を活発にし、各細胞の機能を活性化させ、疲労の回復に効果があり、上述した放射線ホルミシス効果を高める効果もある。
【００２８】
このように、湯の花セラミックス３０から放射される放射線、例えば、ラジウム放射線、ラドンガス及びマイナスイオンによって優れた医学的効果が得られることは上述した通りであるが、これに、例えば、遠赤外線を組み合わせるとにより、相乗効果を得ることができる。本実施形態では、湯の花セラミックス３０と共に、遠赤外線放射性セラミックス４０を各ハウジング２０Ａ，２０Ｂに埋設するようにした。これにより、湯の花セラミックス３０から放射される放射線による放射線ホルミシス効果、マイナスイオン効果、遠赤外線による効果がそれぞれ相乗的に作用し、医学的効果をさらに高めることができる。
【００２９】
ここで、遠赤外線放射性セラミックス４０は、例えば、遠赤外線の波長が４〜１６μｍと遠赤外線放射率が極めて高い金属酸化物パウダーと、天然鉱石とを混合し、焼結して得たセラミックスであることが好ましい。このような遠赤外線放射性セラミックス４０から放射される遠赤外線は、身体に対して放射されると、肌細胞や体液の分子に共振運動、すなわち、波長が共鳴して分子運動が活発化する。これにより、血流が増進し、新陳代謝も活発となり、体全体が暖まる。このとき、通常の汗は汗腺から排出されるが、遠赤外線による発汗は毛穴からも排出される。そして、毛穴は、汗腺より太いので、汗腺から排出できない鉛やカドミウム等の重金属も排出する作用があり、老廃物等を排出し易くなるという効果がある。また、遠赤外線には、水に含まれる水素結合を切断する作用、すなわち、水分子間の水素結合による複合体（水のクラスター）を小さくする作用があり、水分子を体内に取り入れ易くなるという効果もある。特に、本実施形態では、加熱手段６０によって遠赤外線放射性セラミックス４０を加熱することにより、遠赤外線放射性セラミックス４０から放射される遠赤外線の放射量が増大するため、遠赤外線による効果が高められる。
【００３０】
以上説明したように、本実施形態の健康機器１０によれば、湯の花セラミックス３０と遠赤外線放射性セラミックス４０とを各ハウジング２０Ａ，２０Ｂ内に埋設することで、例えば、家庭等でも、手軽で且つ低コストで放射線治療を行うことができると共に、湯の花セラミックス３０から放射される放射線による放射線ホルミシス効果・遠赤外線による効果・マイナスイオンによる効果の３つの相乗効果が得られ、非常に優れた医学的効果を得ることができる。
【００３１】
また、健康機器１０の構造が比較的簡単であるため、家庭や医療施設等でも手軽に且つ低コストで導入することができ、設備投資を大幅に低減することができる。
【００３２】
さらに、本実施形態の健康機器１０によれば、湯の花セラミックス３０からの放射線による効果によって、例えば、顔等の肌細胞を活性化させて免疫力が高められ、肌の若返りを促進することができる。また、遠赤外線効果によれば、保湿効果を持続させ、発汗を促すことで、顔の肌の奥まで潤いを与えることができる。さらに、マイナスイオン効果によれば、酸化を中和することにより老化の進行を抑え、老廃物を清浄化することができる。このような３つの効果が相乗的に作用し合い、顔の肌目を整え、血行の循環がよくなり、生理代謝作用が促進され、その結果、顔の肌質を十分に改善することもできる。なお、このような３つの相乗効果により、美白効果、あるいは、殺菌、浄化、消臭等の効果も期待できる。
【００３３】
なお、本発明は、ラジウムを含む湯の花、特に、玉川温泉の湯の花から人工的に作製した人工北投石となる湯の花セラミックス３０と共に、必要に応じて、トルマリン等のマイナスイオン放射性セラミックスや、ミネラルセラミックス等を埋設するようにしてもよい。
【００３４】
（他の実施形態）
以上、本発明の一実施形態について説明したが、本発明は上述したものに限定されるものではない。例えば、上述した実施形態１では、上部及び下部ハウジング２０Ａ，２０Ｂだけに湯の花セラミックス３０と遠赤外線放射性セラミックス４０とを埋設するようにしたが、これに限定されず、少なくとも湯の花セラミックスを寝床に敷き詰めてもよい。これにより、寝床に横になって寝た状態で、湯の花セラミックスから身体全体に対して放射線が放射されるため、十分な医学的効果を得ることができる。その一例としては、図３に示すように、少なくとも湯の花セラミックス（図示なし）が埋設された医療用ベッド７０Ａと上部及び下部ハウジング２０Ａ，２０Ｂとからなる健康機器１０Ａが挙げられる。なお、この健康機器１０Ａにおいては、上部及び下部ハウジング２０Ａ，２０Ｂと医療用ベッド７０Ａの一端部とが棒状の支持部材８０を介して連結され、この支持部材８０によって、上部及び下部ハウジング２０Ａ，２０Ｂが上下に開閉可能となっている（図３（ｂ）参照）。
【００３５】
また、上述した実施形態１では、上部ハウジング２０Ａと下部ハウジング２０Ｂとからなる健康機器１０を例示して説明したが、これに限定されず、一体型のハウジングからなる健康機器としてもよいし、あるいは、３つ以上のハウジングを組み合わせて健康機器としてもよい。
【００３６】
なお、上述した実施形態１では、加熱手段を設けるようにしたが、これに限定されず、このような加熱手段は必要に応じて設けるようにすればよい。但し、湯の花セラミックスと遠赤外線放射性セラミックスとを組み合わせて使用する際は、このような加熱手段を設けるのが好ましい。
【図面の簡単な説明】
【００３７】
【図１】本発明の実施形態１に係る健康機器の概略を示す斜視図である。
【図２】本発明の実施形態１に係る健康機器の概略を示す要部拡大断面図である。
【図３】本発明の他の実施形態に係る健康機器の概略を示す斜視図である。
【符号の説明】
【００３８】
１０、１０Ａ  健康機器
２０Ａ  上部ハウジング
２０Ｂ  下部ハウジング
３０  湯の花セラミックス
４０  遠赤外線放射性セラミックス
５０  多孔質部材
６０  加熱手段
６５  温度制御部
７０、７０Ａ  寝床
【図１】
2005245632.tif 000003
【図２】
2005245632.tif 000004
【図３】
2005245632.tif 000005